(57)【要約】【課題】ケーブルの接続が誤っている場合に、電源の供給を停止させることによって、接続誤りによる誤動作を防止する。【解決手段】送信側ユニット１０は、入力端子１１Ａ，１１Ｂにそれぞれ＋，−の直流電圧が印加されたときに周波数ｆａを出力する発振部１４Ａと、逆極性の電圧が印加されたときに周波数ｆｂを出力する発振部１４Ｂを備え、これらの出力が直流電圧に重畳されて出力端子１２Ａ，１２Ｂから出力される。受信側ユニット２０では、入力端子２１Ａ，２１Ｂにそれぞれ＋，−の直流電圧が印加されたときに動作する周波数検出部２７Ａと、逆極性の電圧が印加されたときに動作する周波数検出部２７Ｂを備え、周波数検出部２７Ａ，２７Ｂでそれぞれ周波数ｆａ，ｆｂを検出したときにリレー接点２９ａ，２９ｂが閉じる。これにより、ケーブル８が逆に接続されると、モータＭへの電源供給は行われない。【選択図】      図１
2004320836.tif 000002
【特許請求の範囲】
【請求項１】
制御装置から１対の電源線を通して供給する直流電源の極性を変えることによって被制御装置の動作を制御するシステムにおいて該電源線の接続誤りによる誤動作を防止する誤接続防止ユニットであって、
前記制御装置側に挿入され、前記電源線の一方に接続された第１の端子が正極で該電源線の他方に接続された第２の端子が負極のときに第１周波数の信号を該第１及び第２の端子間に出力し、該第１の端子が負極で該第２の端子が正極のときには第２周波数の信号を該第１及び第２の端子間に出力する送信側ユニットと、
前記被制御装置側に挿入され、前記電源線の一方に接続された第３の端子が正極で該電源線の他方に接続された第４の端子が負極でかつ該第３及び第４の端子間に前記第１周波数の信号が検出されたとき、または該第３の端子が負極で該第４の端子が正極でかつ該第３及び第４の端子間に前記第２周波数の信号が検出されたときに、該第３及び第４の端子に与えられる直流電源を該被制御装置に供給する受信側ユニットとで、
構成したことを特徴とする誤接続防止ユニット。
【請求項２】
前記送信側ユニットは、前記第１の端子が正極で前記第２の端子が負極のときに動作して前記第１周波数の発振信号を出力する第１の発振部と、該第１の端子が負極で該第２の端子が正極のときに動作して前記第２周波数の発振信号を出力する第２の発振部とを備え、
前記受信側ユニットは、前記第３の端子が正極で前記第４の端子が負極のときに動作して前記第１周波数があるか否かを検出する第１の周波数検出部と、該第３の端子が負極で該第４の端子が正極のときに動作して前記第２周波数があるか否かを検出する第２の周波数検出部とを備えた、
ことを特徴とする請求項１記載の誤接続防止ユニット。
【請求項３】
制御装置から複数の制御線を通して出力する制御信号によって被制御装置の動作を制御するシステムにおいて該制御線の接続誤りによる誤動作を防止する誤接続防止ユニットであって、
前記制御装置側に挿入され、該制御装置から前記制御線毎に出力される制御信号を、予め定められた相互に異なる電圧、周波数またはパルス幅の信号に変換して対応する制御線に出力する送信側ユニットと、
前記被制御装置側に挿入され、接続された制御線毎に該制御線を介して送られてきた信号を検出し、予め定められた範囲の電圧、周波数またはパルス幅である場合に該被制御装置にその制御線に対応した制御信号を生成して出力する受信側ユニットとで、
構成したことを特徴とする誤接続防止ユニット。
【請求項４】
制御装置から複数の電源線を通してそれぞれ異なる電圧の動作制御用電源を供給することによって被制御装置の動作を制御するシステムにおいて該電源線の接続誤りによる誤動作を防止する誤接続防止ユニットであって、
前記被制御装置側に挿入され、前記各電源線毎に供給される動作制御用電源の電圧を検出して予め定められた範囲の電圧である場合に該電源線を該被制御装置に接続するように構成したことを特徴とする誤接続防止ユニット。
【請求項５】
前記誤接続防止ユニットは、前記制御装置側または前記被制御装置側に、コネクタによって着脱自在に挿入できるように構成したことを特徴とする請求項１乃至４のいずれか１項に記載の誤接続防止ユニット。
【発明の詳細な説明】
【０００１】
【発明の属する技術分野】
本発明は、ケーブル等で接続される制御装置と被制御装置の間で、ケーブル芯線の接続誤りによる誤動作を防止するために挿入する誤接続防止ユニットに関するものである。
【０００２】
【従来の技術】
【０００３】
【特許文献１】特開平４−８４９７４号公報
【特許文献２】特開平９−２４１１３号公報
【０００４】
図５は、前記特許文献２に記載された従来の火災検出消火システムの概略の構成図である。
【０００５】
この火災検出消火システムは、監視領域に配置された走査型火災検出器１、放水銃制御盤２及び放水銃３等と、防災センタに配置された制御盤４及び中央操作卓５等と、ポンプ室に設けられたポンプ制御盤６及び放水銃ポンプ７等を備えている。防災センタ内の制御盤４と監視領域内の走査型火災検出器１及び放水銃制御盤２との間は、ケーブル８で接続されている。また、この制御盤４とポンプ室内のポンプ制御盤６との間は、ケーブル９で接続されている。
【０００６】
このような火災検出消火システムでは、走査型火災検出器１によって監視領域が走査されて監視される。そして、火災が発生したときは、熱源から放射される赤外線が走査型火災検出器１で検出され、火災信号と火災位置情報がケーブル８を通して、防災センタ内の制御盤４に出力される。制御盤４では、火災位置情報に基づいて作動させる放水銃３が選択され、その選択された放水銃３の放水方向を制御するために旋回座３Ａを所定方向に回転させる直流電源が、ケーブル８を介して放水銃制御盤２に供給される。放水銃３の旋回座３Ａは直流モータで駆動され、その旋回方向は直流電源の＋と−の極性を切り替えることによって制御されるようになっている。
【０００７】
また、防災センタ内の制御盤４からポンプ室内のポンプ制御盤６に、放水銃ポンプ７を作動させるための制御信号が出力される。更に、制御盤４から放水銃制御盤２へ、選択した放水銃３のボディー３Ｂ内の放水弁を開くための制御信号が出力される。これにより、放水銃ポンプ７で汲み上げられた消火水が、消火配管を通して送られ、選択された放水銃３のノズル３Ｃから所定の方向に放水される。
【０００８】
【発明が解決しようとする課題】
しかしながら、上記の火災検出消火システムのように、制御装置（例えば、制御盤４）と被制御装置（例えば、放水銃制御盤２）との間をケーブル（例えば、ケーブル８）等で接続するシステムでは、次のような課題があった。
【０００９】
例えば、被制御装置側の直流モータの回転方向を制御装置から供給する直流電源の極性によって制御する場合、現場の配線工事において、ケーブルの芯線を誤って逆に接続すると、直流モータの回転方向が逆方向になり、思わぬ事故や故障の原因となることがあった。
【００１０】
本発明は、ケーブルの接続が誤っている場合には、被制御装置側へ与える電源や制御信号を停止させて接続誤りによる誤動作を防止する誤接続防止ユニットを提供するものである。
【００１１】
【課題を解決するための手段】
前記課題を解決するために、請求項１の発明は、制御装置から１対の電源線を通して供給する直流電源の極性を変えることによって被制御装置の動作を制御するシステムにおいて該電源線の接続誤りによる誤動作を防止する誤接続防止ユニットを、次のような、制御装置側に挿入される送信側ユニットと、被制御装置側に挿入される受信側ユニットとで、構成したことを特徴としている。
【００１２】
即ち、送信側ユニットは、前記電源線の一方に接続された第１の端子が正極で該電源線の他方に接続された第２の端子が負極のときに第１周波数の信号を該第１及び第２の端子間に出力し、該第１の端子が負極で該第２の端子が正極のときには第２周波数の信号を該第１及び第２の端子間に出力するものである。
【００１３】
受信側ユニットは、前記電源線の一方に接続された第３の端子が正極で該電源線の他方に接続された第４の端子が負極でかつ該第３及び第４の端子間に前記第１周波数の信号が検出されたとき、または該第３の端子が負極で該第４の端子が正極でかつ該第３及び第４の端子間に前記第２周波数の信号が検出されたときに、該第３及び第４の端子に与えられる直流電源を該被制御装置に供給するものである。
【００１４】
請求項２の発明は、請求項１の発明における送信側ユニットを、前記第１の端子が正極で前記第２の端子が負極のときに動作して前記第１周波数の発振信号を出力する第１の発振部と、該第１の端子が負極で該第２の端子が正極のときに動作して前記第２周波数の発振信号を出力する第２の発振部とを備えた構成にすると共に、受信側ユニットを、前記第３の端子が正極で前記第４の端子が負極のときに動作して前記第１周波数があるか否かを検出する第１の周波数検出部と、該第３の端子が負極で該第４の端子が正極のときに動作して前記第２周波数があるか否かを検出する第２の周波数検出部とを備えた構成にしたことを特徴としている。
【００１５】
請求項３の発明は、制御装置から複数の制御線を通して出力する制御信号によって被制御装置の動作を制御するシステムにおいて該制御線の接続誤りによる誤動作を防止する誤接続防止ユニットを、次のような、制御装置側に挿入される送信側ユニットと、被制御装置側に挿入される受信側ユニットとで、構成したことを特徴としている。
【００１６】
即ち、送信側ユニットは、制御装置から制御線毎に出力される制御信号を、予め定められた相互に異なる電圧、周波数またはパルス幅の信号に変換して対応する制御線に出力するものであり、受信側ユニットは、被制御装置側に挿入され、接続された制御線毎に該制御線を介して送られてきた信号を検出し、予め定められた範囲の電圧、周波数またはパルス幅である場合に該被制御装置にその制御線に対応した制御信号を生成して出力するものである。
【００１７】
請求項４の発明は、制御装置から複数の電源線を通してそれぞれ異なる電圧の動作制御用電源を供給することによって被制御装置の動作を制御するシステムにおいて該電源線の接続誤りによる誤動作を防止する誤接続防止ユニットを、被制御装置側に挿入され、前記各電源線毎に供給される動作制御用電源の電圧を検出して予め定められた範囲の電圧である場合に該電源線を該被制御装置に接続するように構成したことを特徴としている。
【００１８】
請求項５の発明は、請求項１〜４の発明における誤接続防止ユニットを、制御装置側または被制御装置側に、コネクタによって着脱自在に挿入できるように構成したことを特徴としている。
【００１９】
本発明によれば、以上のように接続防止ユニットを構成したので、次のような作用が行われる。
制御装置に挿入された送信側ユニットにおいて、電源線や制御線等に異なる周波数の信号を重畳したり、制御用の電圧等を変えて伝送する。一方、被制御装置側に挿入された受信側ユニットでは、各電源線や制御線等に対応する周波数や電圧等が伝送されてきたか否かが検出され、該当するものであれば、その電源線や制御線で送られてきた電源電圧等が被制御装置へ出力される。
【００２０】
【発明の実施の形態】
（第１の実施形態）
図１は、本発明の第１の実施形態を示す誤接続防止ユニットの構成図である。
この誤接続防止ユニットは、例えば、図５の火災検出消火システムにおいて、ケーブル８の誤接続によって生ずる放水銃３の直流モータの逆回転を防止するもので、制御装置（例えば、制御盤４）側に挿入される送信側ユニット１０と、被制御装置（例えば、放水銃制御盤２）側に挿入される受信側ユニット２０とで構成されている。即ち、送信側ユニット１０は、制御盤４から放水銃３の旋回用の直流モータＭに対する駆動電圧が出力される端子ＡＡ，ＡＢと、この制御盤４のケーブル接続用端子ＢＡ，ＢＢとの間に挿入されるものである。また、受信側ユニット２０は、放水銃制御盤２のケーブル接続用端子ＸＡ，ＸＢと直流モータＭの端子ＹＡ，ＹＢとの間に挿入されるものである。
【００２１】
送信側ユニット１０は、制御盤４の端子ＡＡ，ＡＢにそれぞれ接続される入力端子１１Ａ，１１Ｂと、ケーブル接続用端子ＢＡ，ＢＢにそれぞれ接続される出力端子１２Ａ，１２Ｂを有している。入力端子１１Ａには、ダイオード１３Ａの陽極が接続され、このダイオード１３Ａの陰極が発振部１４Ａの一方の電源端子に接続されている。発振部１４Ａの他方の電源端子は入力端子１１Ｂに接続されている。発振部１４Ａは、電源端子間に所定の直流電圧が印加されたときに、周波数ｆａの発振信号を出力するもので、この出力側が３巻線のトランス１５の巻線１５ａに接続されている。
【００２２】
ダイオード１３Ａ及び発振部１４Ａからなる回路と対称に、入力端子１１Ｂには、ダイオード１３Ｂの陽極が接続され、このダイオード１３Ｂの陰極が発振部１４Ｂの一方の電源端子に接続されている。発振部１４Ｂの他方の電源端子は入力端子１１Ａに接続されている。発振部１４Ｂは、電源端子間に所定の直流電圧が印加されたときに、周波数ｆａとは異なる周波数ｆｂの発振信号を出力するもので、この出力側がトランス１５の巻線１５ｂに接続されている。トランス１５の巻線１５ｃの一端は直流阻止用のキャパシタ１６を介して出力端子１２Ａに接続され、この巻線１５ｃの他端が出力端子１２Ｂに接続されている。
【００２３】
更に、入力端子１１Ａと出力端子１２Ａの間、及び入力端子１１Ｂと出力端子１２Ｂの間は、それぞれインダクタ１７Ａ，１７Ｂを介して接続され、周波数ｆａ，ｆｂが制御盤４側へ回り込むことを阻止するようになっている。
【００２４】
一方、受信側ユニット２０は、ケーブル接続用端子ＸＡ，ＸＢにそれぞれ接続される入力端子２１Ａ，２１Ｂと、直流モータＭの端子ＹＡ，ＹＢにそれぞれ接続される出力端子２２Ａ，２２Ｂを有している。入力端子２１Ａ，２１Ｂは、周波数ｆａ，ｆｂを阻止するためのインダクタ２３Ａ，２３Ｂを介して、それぞれノードＮＡ，ＮＢに接続されている。また、入力端子２１Ａは、直流阻止用のキャパシタ２４を介してトランス２５の１次巻線２５ａの一端に接続され、この１次巻線２５ａの他端が入力端子２１Ｂに接続されている。
【００２５】
ノードＮＡにはダイオード２６Ａの陽極が接続され、このダイオード２６Ａの陰極が周波数検出部２７Ａの一方の電源端子に接続されている。周波数検出部２７Ａの他方の電源端子はノードＮＢに接続され、この周波数検出部２７Ａの入力側が、トランス２５の２次巻線２５ｂに接続されている。周波数検出部２７Ａは、電源端子間に所定の直流電圧が印加され、かつ入力側に周波数ｆａの信号が与えられたときに、検出信号を出力するものである。周波数検出部２７Ａの出力側は、トランジスタ２８Ａのベースに接続されている。トランジスタ２８Ａのコレクタは、リレーコイル２９Ａとダイオード３０Ａを介してノードＮＡに接続され、エミッタはノードＮＢに接続されている。なお、リレーコイル２９Ａと並列に、サージ電圧抑制用のダイオード３１Ａが接続されている。
【００２６】
同様に、ノードＮＢには、ダイオード２６Ｂの陽極が接続され、このダイオード２６Ｂの陰極が周波数検出部２７Ｂの一方の電源端子に接続されている。周波数検出部２７Ｂの他方の電源端子はノードＮＡに接続され、この周波数検出部２７Ｂの入力側が、トランス２５の２次巻線２５ｂに接続されている。周波数検出部２７Ｂは、電源端子間に所定の直流電圧が印加され、かつ入力側に周波数ｆｂの信号が与えられたときに、検出信号を出力するものである。周波数検出部２７Ｂの出力側は、トランジスタ２８Ｂのベースに接続されている。トランジスタ２８Ｂのコレクタは、リレーコイル２９Ｂとダイオード３０Ｂを介してノードＮＢに接続され、エミッタはノードＮＡに接続されている。また、リレーコイル２９Ｂには、サージ電圧抑制用のダイオード３１Ｂが並列に接続されている。
【００２７】
更に、ノードＮＡと出力端子２２Ａの間には、リレーコイル２９Ａ，２９Ｂに対応するメーク型のリレー接点２９ａ，２９ｂが並列に接続されている。また、ノードＮＢは出力端子２２Ｂに接続されている。
【００２８】
図２は、図１の誤接続防止ユニットの挿入位置を示す概念図である。
制御盤４の端子ＡＡ，ＡＢとケーブル接続用端子ＢＡ，ＢＢとの間には、送信側ユニット１０を挿入するためのエッジコネクタが設けられている。エッジコネクタは、送信側ユニット１０が挿入されていないときは、端子ＡＡ，ＡＢがそれぞれケーブル接続用端子ＢＡ，ＢＢに直接接続される構造となっている。そして、このエッジコネクタに送信側ユニット１０が挿入されると、制御盤４の端子ＡＡ，ＡＢとケーブル接続用端子ＢＡ，ＢＢとの間の接続が切断され、これらの端子間に送信側ユニット１０の回路が挿入されるようになっている。
【００２９】
同様に、ケーブル接続用端子ＸＡ，ＸＢと直流モータＭの端子ＹＡ，ＹＢとの間には、受信側ユニット２０を挿入するためのエッジコネクタが設けられ、このエッジコネクタに受信側ユニット２０が挿入されていないときは、ケーブル接続用端子ＸＡ，ＸＢがそれぞれ直流モータＭの端子ＹＡ，ＹＢに接続される。そして、エッジコネクタに受信側ユニット２０が挿入されると、ケーブル接続用端子ＸＡ，ＸＢと端子ＹＡ，ＹＢとの間の接続が切断され、これらの端子間に受信側ユニット２０の回路が挿入されるようになっている。
【００３０】
また、制御盤４側のケーブル接続用端子ＢＡ，ＢＢと、これに対応する直流モータＭ側のケーブル接続用端子ＸＡ，ＸＢの間は、ケーブル８の芯線でそれぞれ接続されている。
【００３１】
次に、図１の動作を説明する。
例えば、直流モータＭを正回転させるために、制御盤４の端子ＡＡ，ＡＢからそれぞれ＋及び−の直流電圧が出力される。これにより、ケーブル接続用端子ＢＡ，ＢＢには、それぞれ＋及び−の直流電圧が出力される。
【００３２】
送信側ユニット１０では、順方向となるダイオード１３Ａを介して発振部１４Ａに所定の直流電圧が供給され、この発振部１４Ａから周波数ｆａの発振信号が出力される。一方、ダイオード１３Ｂは逆方向となるので、発振部１４Ｂは動作しない。これにより、発振部１４Ａから出力された周波数ｆａの発振信号が、トランス１５及びキャパシタ１６を介してケーブル接続用端子ＢＡ，ＢＢに出力される。従って、ケーブル接続用端子ＢＡ，ＢＢには、直流電圧に重畳して周波数ｆａの発振信号が出力され、ケーブル８を介して放水銃制御盤２側のケーブル接続用端子ＸＡ，ＸＢに伝送される。
【００３３】
ここで、ケーブル８が正しく接続されていれば、ケーブル接続用端子ＸＡ，ＸＢには、それぞれ＋及び−の直流電圧が与えられる。従って、受信側ユニット２０のノードＮＡ，ＮＢには、それぞれ＋及び−の直流電圧が与えられる。これにより、順方向となるダイオード２６Ａを介して周波数検出部２７Ａに所定の電源電圧が供給される。一方、ダイオード２６Ｂは逆方向となるので、周波数検出部２７Ｂは動作しない。
【００３４】
更に、ケーブル８を通して受信側ユニット２０に伝送された周波数ｆａの発振信号は、トランス２５を介して周波数検出部２７Ａ，２７Ｂに与えられる。そして、動作状態となっている周波数検出部２７Ａによって検出され、その検出信号がトランジスタ２８Ａのベースに与えられる。これにより、トランジスタ２８Ａがオンとなってリレーコイル２９Ａに電流が流れ、リレー接点２９ａが閉じる。従って、出力端子２２Ａ，２２Ｂにはそれぞれ＋及び−の直流電圧が出力され、更に端子ＹＡ，ＹＢに接続された直流モータＭは正回転する。
【００３５】
もしも、ケーブル８の誤接続によって、ケーブル接続用端子ＢＡ，ＢＢが、それぞれケーブル接続用端子ＸＢ，ＸＡに接続されていると、これらのケーブル接続用端子ＸＡ，ＸＢには、それぞれ−及び＋の直流電圧が与えられる。これにより、受信側ユニット２０のノードＮＡ，ＮＢには、それぞれ−及び＋の直流電圧が与えられる。この場合、ダイオード２６Ａは逆方向となるので、周波数検出部２７Ａは動作しない。一方、順方向となるダイオード２６Ｂを介して周波数検出部２７Ｂに所定の電源電圧が印加される。しかし、周波数検出部２７Ｂには周波数ｆａの発振信号が与えられるので、この周波数検出部２７Ｂから検出信号は出力されない。これにより、トランジスタ２８Ａ，２８Ｂはいずれもオフ状態となり、リレーコイル２９Ａ，２９Ｂには電流が流れず、リレー接点２９ａ，２９ｂは開いたままである。従って、端子ＹＡ，ＹＢには直流電圧が出力されず、直流モータＭは回転しない。
【００３６】
これとは反対に、直流モータＭを逆回転させるために、制御盤４の端子ＡＡ，ＡＢから、それぞれ−及び＋の直流電圧が出力されると、送信側ユニット１０では、ダイオード１３Ｂが順方向となる。これにより、発振部１４Ｂに所定の直流電圧が供給され、この発振部１４Ｂから周波数ｆｂの発振信号が出力される。このとき、ダイオード１３Ａは逆方向となるので、発振部１４Ａは動作しない。従って、発振部１４Ｂから出力された周波数ｆｂの発振信号が、トランス１５及びキャパシタ１６を介してケーブル接続用端子ＢＡ，ＢＢに出力される。
【００３７】
ケーブル８の接続が正しければ、受信側ユニット２０のノードＮＡ，ＮＢには、それぞれ−及び＋の直流電圧が与えられ、順方向となるダイオード２６Ｂを介して周波数検出部２７Ｂに所定の直流電圧が供給される。このとき、ダイオード２６Ａは逆方向となるので、周波数検出部２７Ａは動作しない。ケーブル８を通して伝送された周波数ｆｂの発振信号は、トランス２５を介して周波数検出部２７Ａ，２７Ｂに与えられる。そして、動作状態となっている周波数検出部２７Ｂで検出され、その検出信号がトランジスタ２８Ｂのベースに与えられる。これにより、トランジスタ２８Ｂがオンとなってリレーコイル２９Ｂに電流が流れ、リレー接点２９ｂが閉じる。従って、端子ＹＡ，ＹＢには、それぞれ−及び＋の直流電圧が出力され、直流モータＭは逆回転する。
【００３８】
もしも、ケーブル８の接続が逆になっていると、受信側ユニット２０のノードＮＡ，ＮＢには、それぞれ＋及び−の直流電圧が与えられる。これにより、ダイオード２６Ｂは逆方向となるので、周波数検出部２７Ｂは動作しない。一方、順方向となるダイオード２６Ａを介して、周波数検出部２７Ａに所定の直流電圧が供給される。しかし、周波数検出部２７Ａには周波数ｆｂの発振信号が与えられるので、この周波数検出部２７Ａから検出信号は出力されない。従って、トランジスタ２８Ａ，２８Ｂのいずれもオフ状態となり、リレーコイル２９Ａ，２９Ｂには電流が流れず、リレー接点２９ａ，２９ｂは開いたままである。このため、端子ＹＡ，ＹＢに直流電圧は出力されず、直流モータＭは回転しない。
【００３９】
以上のように、この第１の実施形態の誤接続防止ユニットは、ケーブル８の制御装置側に挿入されて、制御盤４から出力される直流電圧の極性に応じてそれぞれ異なる周波数ｆａ，ｆｂの発振信号を出力し、この直流電圧に重畳して伝送する発振部１４Ａ，１４Ｂを備えた送信側ユニット１０と、このケーブル８の被制御装置側に挿入されて、与えられた直流電圧の極性とそれに重畳された発振信号の周波数の対応が正しいときに直流電圧を端子ＹＡ，ＹＢに出力する周波数検出部２７Ａ，２７Ｂを備えた受信側ユニット２０とで構成されている。これにより、ケーブル８が誤接続されたときには被制御装置側に直流電圧が供給されず、誤った極性の直流電圧が直流モータＭに印加されて思わぬ事故や故障を引き起こすという原因をなくすことができる。
【００４０】
更に、図２に示すように、これらの送信側ユニット１０及び受信側ユニット２０は、エッジコネクタに挿入して使用する構造になっている。これにより、ケーブル接続工事を行った後、エッジコネクタにそれそれ送信側ユニット１０と受信側ユニット２０を挿入して動作チェックを行い、ケーブルが正しく接続されていることを確認した後、これらの送信側ユニット１０と受信側ユニット２０を引き抜いて、スルー接続させることができる。従って、各制御装置と被制御装置毎に送信側ユニット１０と受信側ユニット２０を準備する必要がないので、これらの制御装置と被制御装置の回路規模とコストの増加を抑えることができる。
【００４１】
（第２の実施形態）
図３は、本発明の第２の実施形態を示す誤接続防止ユニットの構成図である。
この誤接続防止ユニットは、制御装置からケーブルを介して被制御装置側のモータＭＡ，ＭＢに対する駆動電力の制御を行うシステムにおいて、ケーブルの誤接続によるモータＭＡ，ＭＢの誤動作を防止するもので、制御装置側に付加される送信側ユニット４０と、被制御装置側に付加される受信側ユニット５０とで構成されている。
【００４２】
送信側ユニット４０は、例えば直流２４Ｖの制御装置の電源電圧ＰＯＷが与えられる入力端子４１Ｐ、モータＭＡ，ＭＢ駆動用の制御電圧ＣＯＮＡ，ＣＯＮＢが与えられる入力端子４１Ａ，４１Ｂ、及び接地電圧ＧＮＤに接続される入力端子４１Ｇを有している。更に、この送信側ユニット４０は、ケーブル接続用端子ＢＰ，ＢＡ，ＢＢ，ＢＧにそれぞれ接続される出力端子４２Ｐ，４２Ａ，４２Ｂ，４２Ｇを有している。
【００４３】
入力端子４１Ｐ，４１Ｇは、それぞれ出力端子４２Ｐ，４２Ｇに直接接続され、入力端子４１Ａ，４１Ｂは、それぞれ抵抗４３Ａ，４３Ｂを介して出力端子４２Ａ，４２Ｂに接続されている。また、出力端子４２Ａ，４２Ｇ間には、例えば１８Ｖのツェナーダイオード４４Ａが接続され、出力端子４２Ｂ，４２Ｇ間には、１２Ｖのツェナーダイオード４４Ｂが接続されている。
【００４４】
一方、受信側ユニット５０は、ケーブル接続用端子ＸＰ，ＸＡ，ＸＢ，ＸＧにそれぞれ接続される入力端子５１Ｐ，５１Ａ，５１Ｂ，５１Ｇと、モータＭＡ，ＭＢを接続するための端子ＹＡ，ＹＢ，ＹＧに接続される出力端子５２Ａ，５２Ｂ，５２Ｇを有している。
【００４５】
入力端子５１Ｐには、ダイオード５３の陽極が接続され、このダイオード５３の陰極がリレーコイル５４を介して入力端子５１Ｇに接続されている。リレーコイル５４は、例えば２０Ｖ以上の直流電圧が印加されたときに、リレー接点５４ａを閉じるものである。また、入力端子５１Ｐは、リレー接点５４ａを介してノードＮＰに接続され、入力端子５１ＧはノードＮＧに直接接続されている。入力端子５１Ａ，５１Ｂは、それぞれ電圧検出部５５Ａ，５５Ｂの入力側に接続されている。
【００４６】
電圧検出部５５Ａ，５５Ｂは、入力される電圧がそれぞれ規定された電圧範囲にあるか否かを検出するものである。例えば、電圧検出部５５Ａは、ノードＮＰ，ＮＧから直流電圧が供給される抵抗分圧器、２組の電圧比較器（ＣＭＰ）、及び論理積（ＡＮＤ）ゲートで構成されている。抵抗分圧器は、ノードＮＰ，ＮＧ間の２４Ｖの直流電圧を分圧して、例えば１６Ｖと２０Ｖの比較用の基準電圧を生成するものである。２組の電圧比較器は、入力端子５１Ａの電圧Ｖ５１Ａをそれぞれ１６Ｖと２０Ｖの基準電圧と比較するもので、この電圧Ｖ５１Ａが１６Ｖ以上であれば第１の電圧比較器からレベル“Ｈ”の信号が出力され、２０Ｖ以下であれば第２の電圧比較器から“Ｈ”の信号が出力される。更に、第１及び第２の電圧比較器から出力される信号が共に“Ｈ”、即ち入力端子５１Ａの電圧Ｖ５１Ａが１６〜２０Ｖの間にあるときに、論理積ゲートから“Ｈ”の信号が出力されるようになっている。
【００４７】
電圧検出部５５Ｂは、電圧検出部５５Ａと同様の構成で、抵抗分圧器で生成する基準電圧を変えることにより、入力端子５１Ｂの電圧Ｖ５１Ｂが１０〜１４Ｖの間にあるときに、“Ｈ”の信号を出力するようになっている。
【００４８】
電圧検出部５５Ａ，５５Ｂの出力側は、それぞれトランジスタ５６Ａ，５６Ｂのベースに接続されている。トランジスタ５６Ａ，５６Ｂのコレクタは、それぞれリレーコイル５７Ａ，５７Ｂを介してノードＮＰに接続され、エミッタはノードＮＧに接続されている。更に、ノードＮＰは、リレーコイル５７Ａ，５７Ｂに対応するメーク型のリレー接点５７ａ，５７ｂを介して、それぞれ出力端子５２Ａ，５２Ｂに接続されている。
【００４９】
次に動作を説明する。
送信側ユニット４０では、例えば制御装置から入力端子４１Ａに与えられた２４Ｖの制御電圧ＣＯＮＡが、抵抗４３Ａとツェナーダイオード４４Ａによって１８Ｖの定電圧に変換されて出力端子４２Ａに出力される。一方、入力端子４１Ｂの制御電圧ＣＯＮＢが０Ｖであれば、出力端子４２Ｂの電圧も０Ｖとなる。
【００５０】
ここで、送信ユニット４０側のケーブル接続用端子ＢＰ，ＢＡ，ＢＢ，ＢＧと、受信ユニット５０側のケーブル接続用端子ＸＰ，ＸＡ，ＸＢ，ＸＧが、ケーブル８によって正しく接続されていれば、受信側ユニット５０の入力端子５１Ｐに２４Ｖの直流電圧が、入力端子５１Ａ，５１Ｂには、それぞれ１８Ｖ，０Ｖの電圧が与えられる。これにより、ダイオード５３を介してリレーコイル５４に流れる電流でリレー接点５４ａが閉じ、ノードＮＰには２４Ｖの直流電圧が供給され、電圧検出部５５Ａ，５５Ｂの動作が開始される。電圧検出部５５Ａには、１８Ｖの電圧Ｖ５１Ａが入力され、その出力信号は“Ｈ”となる。また、電圧検出部５５Ｂには、０Ｖの電圧Ｖ５１Ｂが入力され、その出力信号は“Ｌ”となる。
【００５１】
電圧検出部５５Ａの出力信号によってトランジスタ５６Ａがオンとなり、リレーコイル５７Ａに電流が流れてリレー接点５７ａが閉じる。一方、トランジスタ５６Ｂはオフとなり、リレーコイル５７Ｂに電流は流れずリレー接点５７ｂは開かれる。これにより、出力端子５２ＡにノードＮＰから２４Ｖの直流電圧が出力され、端子ＹＡ，ＹＧ間に接続されたモータＭＡが駆動される。
【００５２】
制御装置から送信側ユニット４０の入力端子４１Ｂに２４Ｖの制御電圧ＣＯＮＢが与えられた場合には、出力端子４２Ｂに１２Ｖの定電圧が出力され、これが受信側ユニット５０の電圧検出器５５Ｂで検出される。これにより、リレーコイル５７Ｂに電流が流れ、リレー接点５７ｂが閉じてモータＭＢが駆動される。
【００５３】
もしも、送信ユニット４０側のケーブル接続用端子ＢＰ，ＢＡ，ＢＢ，ＢＧと、受信ユニット５０側のケーブル接続用端子ＸＰ，ＸＡ，ＸＢ，ＸＧとの間のケーブル８の接続が誤っていると、リレーコイル５４に所定の電流が流れなかったり、電圧検出部５５Ａ，５５Ｂで所定の電圧が検出されず、モータＭＡ，ＭＢは駆動されない。
【００５４】
以上のように、この第２の実施形態の誤接続防止ユニットは、ケーブル８の制御装置側に挿入されて、制御装置から出力される制御電圧ＣＯＮＡ，ＣＯＮＢをそれぞれ異なる電圧に変換して出力する送信側ユニット４０と、このケーブル８の被制御装置側に挿入されて、与えられた制御信号の電圧が定められた範囲にあるか否かを検出し、所定の範囲にある場合に電源電圧として供給される直流電圧を端子ＹＡ，ＹＢに出力するための電圧検出部５５Ａ，５５Ｂを備えた受信側ユニット５０とで構成されている。これにより、ケーブル８が誤接続されたときには被制御装置側に直流電圧が供給されず、誤った信号でモータＭＡ，ＭＢが駆動されて思わぬ事故や故障を引き起こすという原因をなくすことができる。
【００５５】
更に、第１の実施形態と同様に、これらの送信側ユニット４０及び受信側ユニット５０を、エッジコネクタに挿入して使用するように構成し、ケーブルが正しく接続されていることを確認した後、これらの送信側ユニット４０と受信側ユニット５０を引き抜いて、スルー接続させることができる。この場合、スルー接続によって、制御装置側の制御電圧ＣＯＮＡ，ＣＯＮＢと接地電圧ＧＮＤが、それぞれ被制御装置側の端子ＹＡ，ＹＢ，ＹＧに与えられるようになる。これにより、各システム毎に送信側ユニット４０と受信側ユニット５０を準備する必要がなくなり、制御装置と被制御装置の回路規模とコストの増加を抑えることができる。
【００５６】
（第３の実施形態）
図４は、本発明の第３の実施形態を示す誤接続防止ユニットの構成図である。この誤接続防止ユニット６０は、例えば、制御装置から与えられる直流３６Ｖの電源ＰＯＷＡによって駆動されるモータＭＡと、直流２４Ｖの電源ＰＯＷＢによって駆動されるモータＭＢを有するシステムにおいて、電源ケーブルの誤接続によって、モータＭＡ，ＭＢが誤って動作することを防止するものである。
【００５７】
誤接続防止ユニット６０は、被制御装置であるモータＭＡ，ＭＢとケーブルの間に挿入され、それぞれ電源ＰＯＷＡ，ＰＯＷＢが与えられる入力端子６１Ａ，６１Ｂと、接地電圧ＧＮＤに接続される入力端子６１Ｇを有している。更に、この誤接続防止ユニット６０は、それぞれモータＭＡ，ＭＢの一端が接続される出力端子６２Ａ，６２Ｂと、これらのモータＭＡ，ＭＢの他端が接続される出力端子６２Ｇを有している。
【００５８】
入力端子６１Ａ，６１Ｇ間には、例えば直流３２Ｖ以上が印加されたときに動作するリレーコイル６３が接続され、入力端子６１Ａと出力端子６２Ａの間に、このリレーコイル６３に対応するメーク接点６３ａが挿入されている。
【００５９】
一方、入力端子６１Ｂ，６１Ｇ間には、例えば直流２８Ｖ以上が印加されたときに動作するリレーコイル６４が接続され、入力端子６１ＢとノードＮ６０の間に、このリレーコイル６４に対応するブレーク接点６４ｂが挿入されている。更に、ノードＮ６０と入力端子６１Ｇの間には、例えば直流２０Ｖ以上が印加されたときに動作するリレーコイル６５が接続され、このノードＮ６０と出力端子６２Ｂの間に、このリレーコイル６５に対応するメーク接点６５ａが挿入されている。なお、入力端子６１Ｇは、出力端子６２Ｇに直接接続されている。
【００６０】
次に動作を説明する。
入力端子６１Ａ，６１Ｇ間に、例えば直流３６Ｖの電源ＰＯＷＡが印加されると、リレーコイル６３に流れる電流によってリレー接点６３ａが閉じ、電源ＰＯＷＡが出力端子６２Ａに出力され、この出力端子６２Ａに接続されたモータＭＡに電源ＰＯＷＡが供給される。これにより、モータＭＡが駆動される。
【００６１】
また、入力端子６１Ｂ，６１Ｇ間に、例えば直流２４Ｖの電源ＰＯＷＢが印加されると、リレーコイル６４に流れる電流ではリレー接点６４ｂは閉じたままで、ノードＮ６０に電源ＰＯＷＢが与えられる。この直流２４Ｖの電源ＰＯＷＢは、ノードＮ６０と入力端子６１Ｇの間に接続されたリレーコイル６５に与えられる。これにより、リレーコイル６５に流れる電流でリレー接点６５ａが閉じ、電源ＰＯＷＢが出力端子６２Ｂに出力され、この出力端子６２Ｂに接続されたモータＭＢに電源ＰＯＷＢが供給される。
【００６２】
もしも、ケーブルの接続が誤って、入力端子６１Ａに直流２４Ｖの電源ＰＯＷＢが与えられると、リレーコイル６３に流れる電流ではリレー接点６３ａは閉じず、モータＭＡへの電源は供給されない。また、入力端子６１Ｂに直流３６Ｖの電源ＰＯＷＡが与えられると、リレーコイル６４に流れる電流でリレー接点６４ｂが開き、モータＭＢへの電源は供給されない。
【００６３】
以上のように、この第３の実施形態の誤接続防止ユニット６０は、予め定められた範囲の電圧の電源が供給されたときに、その電源をモータＭＡ，ＭＢに与えるリレー６３，６４，６５を有している。これにより、ケーブルが誤接続された時には、誤接続防止ユニット６０で所定の電圧が検出されず、モータＭＡ，ＭＢへの電源供給が行われない。従って、誤った信号によってモータＭＡ，ＭＢが駆動されて思わぬ事故や故障を引き起こすという原因をなくすことができる。
【００６４】
更に、第１の実施形態と同様に、誤接続防止ユニット６０を、エッジコネクタに挿入して使用するように構成し、ケーブルが正しく接続されていることを確認した後、この誤接続防止ユニット６０を引き抜いて、スルー接続させることができる。これにより、各システム毎に誤接続防止ユニット６０を準備する必要がなくなり、システムの回路規模とコストの増加を抑えることができる。
【００６５】
なお、本発明は、上記実施形態に限定されず、種々の変形が可能である。この変形例としては、例えば、次のようなものがある。
【００６６】
（ａ）  図１の送信側ユニット１０において、周波数ｆａ，ｆｂの発振信号を直流電圧に重畳してケーブル８に出力する回路や、受信側ユニット２０において発振信号を検出して直流モータＭへの直流電圧の供給を制御する回路は、例示したものに限定されない。
【００６７】
（ｂ）  図３の誤接続防止ユニットでは、送信側ユニット１０において、２種類の制御信号ＣＯＮＡ，ＣＯＮＢをそれぞれ異なる定電圧に変換し、受信側ユニット２０に送信しているが、３種類以上の制御信号に対しても同様に、それぞれ異なる定電圧を割り当てることができる。
【００６８】
（ｃ）  図３の誤接続防止ユニットでは、送信側ユニット１０において、２種類の制御信号ＣＯＮＡ，ＣＯＮＢをそれぞれ異なる定電圧に変換しているが、２種類以上の制御信号を、それぞれ異なる所定の周波数の制御信号に変換し、受信側ユニット２０に送信するようにしても良い。この場合、受信側ユニット２０では、割り当てられた所定の周波数を検出するように構成する必要がある。
【００６９】
（ｄ）  図４の誤接続防止ユニット６０は、２種類の電源電圧ＰＯＷＡ，ＰＯＷＢに対応しているが、同様の構成で３種類以上の電源電圧に対応させることができる。
【００７０】
（ｅ）  制御信号の識別のために、図１では異なる周波数を使用し、図３では異なる電圧を使用しているが、異なるパルス幅を有する信号を用いても良い。
【００７１】
（ｆ）  図１の誤接続防止ユニットは、火災検出消火システムの放水銃制御用の電源線に適用したものであるが、制御装置と被制御装置との間が多芯ケーブル等で接続されたシステムに適用することができる。
【００７２】
（ｇ）  被制御装置としてモータを例にして説明したが、被制御装置はモータに限定されず、どのような装置でも同様に適用可能である。
【００７３】
【発明の効果】
以上詳細に説明したように、請求項１及び２の発明によれば、制御装置から電源線に供給される直流電源の極性に応じて、第１または第２周波数をこの電源線に重畳して出力する送信側ユニットと、所定の極性の直流電源が供給されてこれに対応した第１または第２周波数を検出したときに、この電源線を被制御装置に接続する受信側ユニットを備えている。従って、電源線の接続が誤っているときには、受信側ユニットで所定の周波数が検出されず、この電源線は被制御装置に接続されない。これにより、電源線の接続誤りによる被制御装置の誤動作を防止することができる。
【００７４】
請求項３の発明によれば、制御装置から出力される複数の制御信号を、それぞれ予め定められた相互に異なる電圧、周波数またはパルス幅の信号に変換して対応する制御線に出力する送信側ユニットと、各制御線を介して送られてきた信号を検出して予め定められた範囲の電圧、周波数またはパルス幅である場合に該被制御装置に制御信号を出力する受信側ユニットを備えている。これにより、制御線の接続誤りによる被制御装置の誤動作を防止することができる。
【００７５】
請求項４の発明によれば、制御装置から複数の電源線を通してそれぞれ異なる電圧の動作制御用電源が供給されたときに、各電源線毎に供給される動作制御用電源の電圧が予め定められた範囲の電圧であるか否かを検出して、定められた範囲の電圧の場合にその電源線を被制御装置に接続するように誤接続防止ユニットを構成している。これにより、複数の電源線の接続誤りによる被制御装置の誤動作を防止することができる。
【００７６】
請求項５の発明によれば、誤接続防止ユニットを、制御装置側または被制御装置側に、コネクタによって着脱自在に挿入できるように構成している。従って、ケーブル接続工事の後に誤接続防止ユニットを用いて接続確認試験を行った後、この誤接続防止ユニットをコネクタから取り外すことができる。これにより、制御装置や被制御装置毎に誤接続防止ユニットを固定接続する必要がなく、装置規模とコストの増加を抑えることが可能になる。
【図面の簡単な説明】
【図１】本発明の第１の実施形態を示す誤接続防止ユニットの構成図である。
【図２】図１の誤接続防止ユニットの挿入位置を示す概念図である。
【図３】本発明の第２の実施形態を示す誤接続防止ユニットの構成図である。
【図４】本発明の第３の実施形態を示す誤接続防止ユニットの構成図である。
【図５】従来の火災検出消火システムの概略の構成図である。
【符号の説明】
４    制御盤
８    ケーブル
１０，４０    送信側ユニット
１４Ａ，１４Ｂ    発振部
１５，２５    トランス
２０，５０    受信側ユニット
２７Ａ，２７Ｂ    周波数検出部
２９Ａ，２９Ｂ，６３〜６５    リレーコイル
２９ａ，２９ｂ，６３ａ〜６５ａ    リレー接点
５５Ａ，５５Ｂ    電圧検出部
６０    誤動作防止ユニット
【図１】
2004320836.tif 000003
【図２】
2004320836.tif 000004
【図３】
2004320836.tif 000005
【図４】
2004320836.tif 000006
【図５】
2004320836.tif 000007